(57)【要約】【課題】  片面読込と両面読込とを一連の読取動作の途中で切換えることが可能な画像読取装置を提供する。【解決手段】  原稿に両面原稿と片面原稿とを区別するマーキングを形成しておき、マーキングを検知して両面原稿であることを判別すると、ＣＣＤとＣＩＳを駆動して両面原稿の表面と裏面の画像を同時に読取って、画像データを記憶し、片面原稿であることを判別すると、ＣＣＤのみを駆動して表面の画像を読取って画像データを記憶する。【選択図】      図５
2005341185.tif 000002
【特許請求の範囲】
【請求項１】
一方面にのみ画像が形成された片面原稿と、一方面および他方面に画像が形成された両面原稿と含む原稿の画像を読取る画像読取装置であって、
前記原稿が載置される原稿台の近傍に設けられたセンサと、
前記原稿の読取時に、前記原稿に関連して予め設定されている片面原稿または両面原稿を示す情報を前記センサが検知したことに応じて、各原稿が片面原稿であるかあるいは両面原稿であるかを判別する判別手段と、
前記判別手段の判別結果に応じて、前記原稿の画像を読取る読取手段を備えた、画像読取装置。
【請求項２】
前記片面原稿または両面原稿を示す情報は、前記原稿の所定の位置に形成され、前記センサによって読取可能なマーキングである、請求項１に記載の画像読取装置。
【請求項３】
前記片面原稿または両面原稿を示す情報は、両面原稿の読取開始を示す情報であって、その情報が形成された認識用のシート状部材を含み、
前記シート状部材は、最初の両面原稿の直前に配置され、前記センサによって読取られる、請求項１に記載の画像読取装置。
【請求項４】
前記読取手段は、前記判別手段によって両面原稿であることが判別されたことに応じて、前記両面原稿の一方面の画像を読取った後、前記両面原稿を反転させて他方面の画像を読取る、請求項１から３のいずれかに記載の画像読取装置。
【請求項５】
前記読取手段は、前記判別手段によって両面原稿であることが判別されたことに応じて、前記両面原稿の一方面の画像を読取る第１の読取手段と、前記両面原稿の他方面の画像を同時に読取る第２の読取手段とを含む、請求項１から３のいずれかに記載の画像読取装置。
【請求項６】
前記シート状部材は、前記センサによって情報が読取られた後、前記読取手段による読取処理が行われることなく排出される、請求項３から５のいずれかに記載の画像読取装置。
【請求項７】
さらに、所定の情報を入力することにより、前記シート状部材を形成して出力する印字手段を含む、請求項３から６のいずれかに記載の画像読取装置。
【発明の詳細な説明】
【技術分野】
【０００１】
この発明は画像読取装置に関し、例えば、画像形成装置などにおいて、片面原稿あるいは両面原稿を読取る画像読取装置に関する。
【背景技術】
【０００２】
従来より、複写機などの画像形成装置において、片面原稿および両面原稿が混在した状態では、自動読取装置を使用して１回の操作で必要な出力を得ることはできず、片面原稿は片面原稿だけで片面読込動作を行わせ、両面原稿は両面原稿だけで両面読込動作を行う必要があった。
【０００３】
このため、利用者が片面、両面混在の原稿から複写資料を複数用意する場合、片面原稿の片面読込動作を行い、両面原稿だけで両面読込動作を行った後、出力をあわせて資料を作成するという煩雑な作業が必要とされる。
【０００４】
これに対して特開２００４−０２１０２１号公報（特許文献１）には、片面原稿と両面原稿が入り混じった場合でも無駄なく原稿の読取を行うことができる画像形成装置について記載されている。この画像形成装置では、画像形成時に裏面に印刷あり、あるいは両面印刷ありを示す印刷識別ラインが用紙に印刷され、これらの印刷識別ラインを読取ることで、片面原稿と両面原稿との判別を行っている。
【特許文献１】特開２００４−０２１０２１号公報（段落番号００３１〜００３７、図３）
【発明の開示】
【発明が解決しようとする課題】
【０００５】
しかしながら、特許文献１では、画像形成時に用紙の裏面あるいは両面に印刷の有無を示す識別ラインを印刷するものであり、このような識別ラインが印刷されていない原稿に関しては、裏面のみあるいは両面に印刷されているかを判別できない。
【０００６】
そこで、この発明の目的は、片面読込と両面読込とを一連の読取動作の途中で切換えることが可能な画像読取装置を提供することである。
【課題を解決するための手段】
【０００７】
この発明は、一方面にのみ画像が形成された片面原稿と、一方面および他方面に画像が形成された両面原稿と含む原稿の画像を読取る画像読取装置であって、原稿が載置される原稿台の近傍に設けられたセンサと、原稿の読取時に原稿に関連して予め設定されている片面原稿または両面原稿を示す情報をセンサが検知したことに応じて、各原稿が片面原稿であるかあるいは両面原稿であるかを判別する判別手段と、判別手段の判別結果に応じて、片面原稿の一方面または両面原稿の一方面と他方面のそれぞれの画像を読取る読取手段とを備える。
【０００８】
好ましくは、片面原稿または両面原稿を示す情報は、原稿の所定の位置に形成され、センサによって読取可能なマーキングである。
【０００９】
好ましくは、片面原稿または両面原稿を示す情報は、両面原稿の読取開始を示す情報であって、その情報が形成された認識用のシート状部材を含み、シート状部材は最初の両面原稿が読取られる直前に配置され、センサによって読取られる。
【００１０】
好ましくは、読取手段は判別手段によって両面原稿であることが判別されたことに応じて、両面原稿の一方面の画像を読取った後、両面原稿を反転させて他方面の画像を読取る。
【００１１】
好ましくは、読取手段は判別手段によって両面原稿であることが判別されたことに応じて、両面原稿の一方面の画像を読取る第１の読取手段と、両面原稿の他方面の画像を同時に読取る第２の読取手段とを含む。
【００１２】
好ましくは、シート状部材は、センサによって情報が読取られた後、読取手段による読取処理が行われることなく排出される。
【００１３】
好ましくは、所定の情報を入力することにより、シート状部材を形成して出力する印字手段を含む。
【発明の効果】
【００１４】
この発明によれば、原稿の読取時に、原稿に関連して予め設定されている片面原稿または両面原稿を示す情報を検知したことに応じて、各原稿が両面原稿であるかあるいは片面原稿であるかを判別し、その判別結果に応じて、両面原稿および原稿のそれぞれの画像を切換えて読取ることができる。
【００１５】
これにより、両面原稿と片面原稿が混在していても、最適な読取出力が得られるので、従来のように原稿の読取後に行っていた仕分け作業や、頁あわせなどの作業を不要にできる。また、原稿は出力を得たい順番に並べてセットすればよく、頁抜けなどの乱丁の心配がなくなる。
【発明を実施するための最良の形態】
【００１６】
図１はこの発明の一実施形態における画像読取装置の側面の断面図である。
【００１７】
図１において、画像読取装置１には、前方が低くなるように原稿台２が配置され、その上に原稿３が載置される。原稿３は、ピックアップローラ４，分離ローラ５，レジストローラ６および搬送ローラ７によって読取位置８に搬送される。読取位置８にはガラス９が嵌め込まれており、ランプ１０によりガラス８を介して原稿３の読取面に光が照射される。
【００１８】
ガラス８の下部にはミラー１１，１２および１３が設けられていて、これらのミラー１１〜１３により原稿３で反射された画像がレンズ１４を介してＣＣＤ１５に導かれる。ガラス８の上部にはＣＩＳ（Ｃｎｔａｃｔ  Ｉｍａｇｅ  Ｓｅｎｓｏｒ）１６が配置されている。原稿３が片面原稿であれば表面の画像がＣＣＤ１５によって読取られ、原稿３が両面原稿であればＣＣＤ１５が表面（一方面）の画像を読込むとともにＣＩＳ１６が裏面（他方面）の画像を読込む。読取られた原稿３は、分岐爪１７により排紙ローラ１９側に分岐されて排出される。この例では、ＣＣＤ１５とＣＩＳ１６とによって両面原稿の表面と裏面の画像を同時に読取ることで読取処理を速くすることができるという利点がある。
【００１９】
なお、ＣＩＳ１６を設けずにＣＣＤ１５のみにより、原稿３の表面と裏面の画像を読取るようにしてもよい。その場合には、原稿３がピックアップローラ４，分離ローラ５，レジストローラ６および搬送ローラ７によって読取位置８に搬送され、ミラー１１〜１３およびレンズ１４を介してＣＣＤ１５によって表面の画像が読取られる。その後、分岐爪１７，１８によって原稿３の後端が中間ローラ２０に挟まれたまま中間トレイ２１に排出される。原稿３を裏返すために中間ローラ２０が逆転されると、原稿３がレジストローラ６および搬送ローラ７を介して読取位置８に搬送されて裏面の画像が読取られ、分岐爪１７、１８を介して中間ローラ２０に原稿３の後端が挟まれたまま中間トレイ２１に排出される。
【００２０】
原稿３は裏面の画像を読取るために裏返されているので、再度裏返して最初に設定した表面が上を向くように中間ローラ２０が逆転され、レジストローラ６と搬送ローラ７とによって搬送され、読取り位置８，分岐爪１７を介して排紙ローラ１９によって排出される。この例では、両面原稿の表面の画像と裏面の画像とをＣＣＤ１５によって別個に読取るため読取処理が遅くなってしまうが、ＣＩＳ１６を設ける必要がなくなるのでコスト的に安価になる。
【００２１】
図２は原稿の読取面を示す平面図である。図１に示した読取位置８に設けられているガラス９の下部には、図２に示すように光学式のマーキングセンサ２２が設けられている。マーキングセンサ２２は原稿３のマーキング３１を検出する。このマーキング３１は、片面原稿あるいは両面原稿であることを示すために、例えば数本の線や細線と太線との組合せからなるバ−コードなどで形成されており、片面原稿と両面原稿とを区別するために線の本数や細線と太線との組合せが異なるように、原稿３の画像が形成されている面の所定の位置に形成されている。このマーキング３１をマーキングセンサ２２が検出することで、片面原稿であるかあるいは両面原稿であるかを判別することができる。
【００２２】
マーキング３１を形成する位置は、原稿３の右上の角より例えば下側に３ｃｍおよび右から３ｃｍ以内というように、マーキングセンサ２２の読取範囲内に決められるが、原稿３を縦位置あるいは横位置で読取る可能性がある場合には、原稿３の四隅に形成しておくのが好ましい。
【００２３】
また、マーキングセンサ２２として原稿３の用紙の地色を反射して検知に使用する場合には、マーキング３１として黒もしくはマーキングセンサ２２が吸収し易い光線の色で形成される。
【００２４】
さらに、マーキング３１として例えば銀色の反射シールを用い、反射シールからの反射光をマーキングセンサ２２で検出するようにしてもよい。
【００２５】
図３は、両面原稿を判別するためのシート状部材としての栞を示す図である。前述の図２に示したように、原稿３に予めマーキング３１を形成したり、シールを貼り付けるのが困難な場合には、図３（ａ）に示すように判別用の栞３２に両面原稿の読取開始を示すマーキング３３を形成するとともに、図３（ｂ）に示すように別の栞３４に両面原稿の読取終了を示すマーキング３５を形成しておき、片面原稿と両面原稿が混在している場合に、片面原稿と両面原稿との間に栞３２を挟んでおき、両面原稿と片面原稿との間に栞３４を挟んでおけばよい。マーキング３３，３５は、細線と太線の組合わせが異なるように形成されている。
【００２６】
図４はこの発明の一実施形態における画像読取装置のブロック図である。図４において、制御部５０には、操作部５１と、第１の読取手段としてのＣＣＤ１５と、第２の読取手段としてのＣＩＳ１６と、マーキングセンサ２２と、表示部５２と、駆動部５３と、ランプ１０と、記憶部５４と、印字部５５とが接続されている。操作部５１は、片面原稿あるいは両面原稿の読取を指定したり、マーキングセンサ２２によるマーキング３１の検知機能をＯＮするための設定をしたり、複写枚数や用紙サイズなどを入力する。ＣＣＤ１５は図１に示したように原稿３の表面の画像を読取り、ＣＩＳ１６は原稿３の裏面の画像を読取る。マーキングセンサ２２は図２に示したように原稿３のマーキング３１や栞３２，３４のマーキング３３，３５を読取る。
【００２７】
表示部５２は入力された複写枚数や用紙サイズなどを表示する。駆動部５３は図１に示したピックアップローラ４や分離ローラ５などを回転させるための駆動を行う。ランプ１０は図１に示したように原稿３に光を照射する。記憶部５４はＣＣＤ１５やＣＩＳ１６によって読取られた画像データやマーキングセンサ２２で読取られたデータなどを記憶する。印字部５５は記憶部５４に記憶されている画像データを印字するとともに栞３２，３４を作成する。
【００２８】
栞３２，３４を作成するときには、操作部５１から片面原稿または両面原稿であることを示す所定の情報を入力することで、マーキング３３，３５が形成された栞３２，３４を作成することができる。
【００２９】
図５はこの発明の一実施形態における画像読取装置の動作を説明するためのフローチャートである。図１に示す原稿台２に図２に示したように片面原稿あるいは両面原稿であることを示すマーキング３１が形成された原稿３が重ねられているものとする。また、操作部５１からマーキング３１の検知機能をＯＮするための操作が行われているものとする。原稿３が下から順次ピックアップローラ４によって画像読取装置１内に取込まれると、マーキングセンサ２２によってマーキング３１が読取られる。
【００３０】
制御部５０はステップ（図示ではＳＰと略称する）ＳＰ１において、操作部５１によってマーキングセンサ２２によるマーキング３１の検知機能がＯＮされているか否かを判別する。検知機能がＯＮされていれば、ステップＳＰ２において、マーキングセンサ２２によって原稿３のマーキング３１が検出されたか否かを判別し、マーキング３１が検出されていれば、ステップＳＰ３においてマーキング３１の情報が片面原稿あるいは両面原稿を示しているかが判別される。
【００３１】
ステップＳＰ４においてマーキング３１が両面原稿であることを示しているものと判別されると、ステップＳＰ５においてＣＣＤ１５とＣＩＳ１６とが駆動され、ステップＳＰ６において、読取位置に搬送された原稿３の表面の画像がＣＣＤ１５によって読取られ、裏面の画像がＣＩＳ１６によって同時に読取られる。
【００３２】
ステップＳＰ７において原稿３の全読取が終了したか否かが判別され、終了していないことが判別されると、ステップＳＰ８において次の原稿を読取るためにステップＳＰ２に戻る。ステップＳＰ２において再度マーキング３１があるか否かが判別される。この動作を繰り返すことで原稿３が両面原稿であれば、表面と裏面の画像が同時に読取られ、画像データが記憶部５４に記憶される。ステップＳＰ７において全読取が終了していることを判別すれば処理を終了する。
【００３３】
原稿３が片面原稿であれば、ステップＳＰ３において、マーキング３１の情報がマーキングセンサ２２によって読取られ、ステップＳＰ９において片面原稿であると判別され、ステップＳＰ１０においてＣＣＤ１５が駆動され、ステップＳＰ１１において原稿３の片面の画像が読取られて画像データが記憶部５４に記憶される。以下、ステップＳＰ７およびＳＰ８〜ＳＰ２，ＳＰ３，ＳＰ９〜ＳＰ１１を繰り返すことで片面原稿の全ての画像が読取られる。
【００３４】
したがって、この実施形態によれば、両面原稿と片面原稿が混在していても、最適な読取出力が得られるので、読取後に仕分け作業や、頁あわせなどの作業を不要にできる。また、原稿は出力を得たい順番に並べてセットすればよく、頁抜けなどの乱丁の心配がなくなる。
【００３５】
例えば片面原稿１枚と、両面原稿６枚と、片面原稿３枚が重ねられていて、図３に示した栞３２，３４を用いるときには、片面原稿の１枚目と両面原稿の１枚目との間に栞３２を挟み込み、両面原稿の６枚目と３枚の片面原稿の１枚目との間に栞３４を挟み込む。これらの原稿が順次重ねられて原稿台２の上に載置されて画像読取装置１による読取が開始される。
【００３６】
１枚目の片面原稿が読取られた後、ステップＳＰ２において、栞３２のマーキング３３がマーキングセンサ２２によって読取られ、ステップＳＰ３において両面原稿の読取り開始であることが判別されると、ステップＳＰ１６においてこれ以降は両面原稿であることが判別される。そして、ステップＳＰ１７において、このシートは栞３２であるとみなしてＣＣＤ１５による読込を行わず排出する。栞３２以降の６枚の両面原稿は、ステップＳＰ４〜ＳＰ８の処理により画像が読取られて画像データが記憶部５４に記憶される。
【００３７】
このようにして両面原稿が読取られ、ステップＳＰ２において６枚目の両面原稿と３枚の片面原稿の１枚目との間に挿入されている栞３４のマーキング３５がマーキングセンサ２２によって読取られ、ＳＰ３においてマーキング３５の情報が最後の両面原稿であることを示していれば、ステップＳＰ１８においてこれ以降は片面原稿であることが判別される。そして、ステップＳＰ１９において、このシートは栞３４であるとみなしてＣＣＤ１５による読込を行わず排出する。栞３４以降の３枚の片面原稿は、ステップＳＰ９〜ＳＰ１１，ＳＰ７およびＳＰ８の処理により画像が読取られて画像データが記憶部５４に記憶される。
【００３８】
なお、上述のように原稿３にマーキング３１を形成したり、栞３２，３４を片面原稿と両面原稿との間に挿入することなく、操作部５１を操作してマーク検知機能をＯＦＦに設定し、片面原稿あるいは両面原稿の読取りを指定してもよい。
【００３９】
片面原稿の読取りを指定した場合は、図５に示すステップＳＰ１においてマーク検知機能がＯＦＦであることを判別し、ステップＳＰ１２において、片面原稿が指定されているか否かを判別する。片面原稿指定されていることを判別すると、ステップＳＰ１３において片面原稿を指定し、ステップＳＰ１４においてＣＣＤ１５を駆動し、ステップＳＰ１５において片面原稿の画像を読取って画像データを記憶部５４に記憶する。
【００４０】
ステップＳＰ１２において、片面原稿の指定がされていないことを判別したときには、ステップＳＰ２０において両面原稿が指定されていることを判別し、ステップＳＰ２１においてＣＣＤ１５とＣＩＳ１６とを駆動し、ステップＳＰ２２において両面原稿の一方面と他方面の画像を同時に読取って一連の処理を終了する。
【００４１】
また、操作部５１から片面原稿５枚，両面原稿３枚（６ページ），片面原稿１枚というように枚数を指定して入力し、一連の読取動作で読取を行うようにしてもよい。
【００４２】
図６はこの発明における他の実施形態の動作を説明するためのフローチャートである。図５に示した実施形態では、原稿３にマーキング３１を形成したときあるいは栞３２，３４を両面原稿と片面原稿との間に挿入して片面原稿を読取るときＣＣＤ１５のみを駆動するようにした。これに対して図６に示した実施形態では、ステップＳＰ９において片面原稿であることを判別すると、ステップＳＰ２３においてＣＣＤ１５とＣＩＳ１６とを駆動し、ステップＳＰ２４において片面原稿の表面と裏面の画像を読取って画像データを記憶部５４に記憶する。片面原稿では表面の画像のみが有効であり、裏面の画像は不要であるので、ステップＳＰ２５において、不要な裏面の画像データを削除する。それ以外の動作は図５と同じである。
【００４３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４４】
【図１】この発明の一実施形態における画像読取装置の側面図である。
【図２】この発明の一実施形態における画像読取装置の原稿の読取面を示す平面図である。
【図３】両面原稿を判別するための栞を示す図である。
【図４】この発明の一実施形態における画像読取装置のブロック図である。
【図５】この発明の一実施形態における画像読取装置の動作を説明するためのフローチャートである。
【図６】この発明の他の実施形態における画像読取装置の動作を説明するためのフローチャートである。
【符号の説明】
【００４５】
１  画像読取装置、２  原稿台、３  原稿、４  ピックアップローラ、５  分離ローラ、６  レジストローラ、７  搬送ローラ、８  読取位置、９  ガラス、１０  ランプ、１１，１２，１３  ミラー、１４  レンズ、１５  ＣＣＤ、１６  ＣＩＳ、１７，１８  分岐爪、１９  排紙ローラ、２０  中間ローラ、２１  中間トレイ、２２  マーキングセンサ、３１，３３，３５  マーキング、３２，３４  栞，５０  制御部、５２  表示部、５３  駆動部、５４  記憶部、５５  印字部。
【図１】
2005341185.tif 000003
【図２】
2005341185.tif 000004
【図３】
2005341185.tif 000005
【図４】
2005341185.tif 000006
【図５】
2005341185.tif 000007
【図６】
2005341185.tif 000008